(57)【要約】【課題】  宅配業者が留守であっても荷物を宅配し、又荷物を集荷することが出来る宅配・集荷ボックスの提供。【解決手段】  宅配・集荷ボックスは荷物を収容することが出来る本体１と蓋２を有し、該蓋２には鍵３を取付け、そして該鍵３は宅配業者との間で取決めた数値を入力することで解錠可能な構造とし、内部には業者が使用する受取り印を収容する空間を形成し、住宅の玄関口、オフィスの入口付近、マンションの入口付近に配置することが出来て、該本体１は建物とワイヤー８などの連結具を介して連結され、そして上記連結具が切断された場合には本体１内に収容されている警報機が警報音を発するように制御されている。【選択図】    図３
2011041717.tif 000002
【特許請求の範囲】
【請求項１】
宅配業者が留守であっても荷物を宅配し、又荷物を集荷することが出来る宅配・集荷ボックスにおいて、該宅配・集荷ボックスは荷物を収容することが出来る本体と該本体の開口を閉じる蓋を有し、該蓋には鍵を取付けて鍵を解錠しない限り開くことが出来ず、そして該鍵は宅配業者との間で取決めた数値を入力することで解錠可能な構造とし、内部には業者が使用する受取り印を収容する空間を形成し、住宅の玄関口、オフィスの入口付近、マンションの入口付近に配置することが出来て、該本体は建物とワイヤー、ロープ、又はクサリなどの連結具を介して連結され、そして上記連結具が切断された場合には本体内に収容されている警報機が警報音を発するように制御したことを特徴とする宅配・集荷ボックス。
【請求項２】
上記本体内面及び蓋内面に断熱層を形成した請求項１記載の宅配・集荷ボックス。
【請求項３】
上記蓋に代わって、本体の開口を閉じることが出来る扉又はスライド蓋を取付け、該扉又はスライド蓋に鍵を取着してロックした請求項１、又は請求項２記載の宅配・集荷ボックス。
【請求項４】
上記鍵を解錠することが出来る暗証番号として発送伝票に記載している電話番号の下４桁を入力可能とした請求項１、請求項２、又は請求項３記載の宅配・集荷ボックス。
【発明の詳細な説明】
【技術分野】
【０００１】
本発明は宅配される荷物を受取る為に収容することが出来、又集荷される荷物を収容し、玄関先に配置することが出来るボックスに関するものである。
【背景技術】
【０００２】
荷物を受け取る場合、受取人は宅配業者の訪問予定日時に自宅あるいは事業所で待機し、宅配業者から直接荷物を受け取らねばならない。この一連の対応は受取人にとっては時間が拘束されると共に、また宅配業者にとっても留守宅に何度も訪問しなければならない場合もあり、円滑な宅配業務が妨げられる場合が多い。又、荷物を送る場合においても、留守宅では集荷することが出来ない。
【０００３】
そこで、宅配業者と受取人とが直接対面せずに荷物の受け渡しを可能にする宅配ボックスを備えた宅配装置が種々提案されている。例えば、受取人があらかじめ施錠外扉を解錠しておき、受取人の不在時に宅配業者が宅配ボックスに荷物を収納し、そして施錠外扉を施錠しておくことにより、荷物の受け取りを可能とした宅配システムが知られている。
【０００４】
実開平５−４４８９６号に係る「収納ボックス」は、宅配便等を留守でも安全確実に受け取ることができ、且つ構造が簡単で安価な収納ボックスである。
引き出しと該引き出しを収納する収納部を有し、該収納部の下に貯留室が設けられたボックス本体とからなり、上記引き出しの底板が引き出しを閉じた際には下側に開き、又、引き出しを開いた際には底板が収納部の前面側に設けたガイドに支持されて閉じた状態となるように形成され、上記ボックス本体には引き出しの下側に設けた貯留室から荷物を取り出すための取り出し口が設けられ、該取り出し口は特定の人のみが開閉可能としている。
【０００５】
実開平６−７６５８７号に係る「玄関ドア」は、マンションや集合住宅等の玄関ドアに、宅配便の荷物や小包等を玄関ドアの外部から入れ玄関ドアの内部から取り出すことのできる荷物の受渡し機能をもたせ、留守宅への荷物の受渡しを容易・確実としている。
そこで、玄関ドアの袖付枠の袖部内側に外扉と内扉とをもち、中に荷物の有無を検出する荷物センサをもった受渡しボックスを設け、外扉を開き荷物を入れて外扉を閉めると外扉の電気錠が自動的に施錠され赤ランプがついて中に荷物が入っていることを表示し、内扉を開き中の荷物を取り出して内扉を閉めると外扉の電気錠が自動的に解錠され緑ランプがついて中に荷物が入っていないことを表示するよう電気的に制御されるようにしている。
【０００６】
特開平９−２６２１７２号に係る「宅配物受領箱と捺印装置」は、宅配物を収納する箱体の内容積に無駄なスペースを取らないで、且つ簡単な操作で取り扱えるようにし、留守でも安全確実に宅配物が受けられるようにしている。
上端部に投入部を開設すると共に、下端部に施錠開閉自在に取出部を設けた箱体内に、上端開口部の周縁を投入部開口縁に連設すると共に、下端を開放した可撓性材料製の筒体を収納し、筒体を内方に収縮自在とした構成で、箱体近傍に受領印鑑を配している。
【０００７】
【特許文献１】実開平５−４４８９６号に係る「収納ボックス」
【特許文献２】実開平６−７６５８７号に係る「玄関ドア」
【特許文献３】特開平９−２６２１７２号に係る「宅配物受領箱と捺印装置」
【発明の開示】
【発明が解決しようとする課題】
【０００８】
このように、留守であっても荷物を宅配することが出来るようにした宅配ボックスに関する従来技術は色々存在している。しかし、これら宅配ボックスは構造が複雑であって、建物の一部として構成した構造で製作コストが高く、一般家庭で使用するには問題がある。本発明が解決しようとする課題はこの問題点であり、住宅などの建物とは独立した構造とし、何所でも配置することが出来ると共に留守中に安心して荷物を受取ることが出来、又集荷することが出来る宅配・集荷ボックスを提供する。
【課題を解決するための手段】
【０００９】
本発明に係る宅配・集荷ボックスは本体と蓋を有し、蓋は開閉可能であるが鍵が取付けられて、誰でも開くことは出来ない構造と成っている。すなわち、ロック装置が備わっているが、該ロック装置は暗証番号を入力することで解錠することが出来る。この暗証番号とは宅配業者との間でのみ使われる番号又は記号であって、この番号又は記号を知らない限り誰でも開くことが出来ないようにしている。
【００１０】
そこで、ボックス内には受取り印が収容され、宅配業者は本人に代わって受取り印を押して配達した荷物はボックス内に入れられる。そして、該ボックス本体は建物の一部とワイヤー又はクサリなどの連結具にて連結され、ボックスごと持ち去ることが出来ないようにしている。又、必要に応じてボックス内面には断熱層を形成することが出来、要冷蔵の荷物であっても収容可能としている。
【発明の効果】
【００１１】
本発明に係る宅配・集荷ボックスは仮に留守中であっても配達される荷物をボックス内に入れておくことが出来、又集荷する荷物はボックスから取り出すことが出来る。従って、宅配業者は何度も足を運ぶことなく、労力と配達コストの低減になり、このことは宅配業務の効率化が図られ、ガソリン代の節約及び環境保全にも繋がる。
【００１２】
ところで、本発明の宅配・集荷ボックスにはロック装置が備わり、該ロック装置は宅配業者のみに教えてある暗証番号を入力することで解錠されて蓋を開くことが出来る為に、宅配される荷物及び集荷される荷物が盗難に遭うことはない。そして、ボックス内には受取り印も収容されており、宅配業者はこの印を使用することが出来る。
【００１３】
勿論、在宅している場合には該宅配・集荷ボックスを使用する必要はないが、仮に在宅中であっても本発明の宅配・集荷ボックスを使用することで宅配業者を装って侵入する犯罪を未然に防止することも出来る。特に、一人暮らしの女性の場合、宅配業者と顔を合わすことなく安心して荷物の受け取りが可能となる。さらに、夜間で人前に出ることが出来ない服装をしている場合（例えば、ネグリジイェ、パジャマ）、本発明の宅配・集荷ボックスは便利である。
【図面の簡単な説明】
【００１４】
【図１】本発明に係る宅配・集荷ボックスを示す具体例。
【図２】宅配・集荷ボックスの本体断面図。
【図３】宅配・集荷ボックスを玄関ドアの付近に配置した場合。
【発明を実施するための形態】
【００１５】
図１は本発明に係る宅配・集荷ボックスを示している外観図であり、該宅配・集荷ボックスは本体１と蓋２から成り、蓋２は本体１の開口を閉じる為に被覆されている。そして蓋２には鍵３が取付けられ、該鍵３を解錠しなくては蓋２を開くことは出来ない。ここで、本体１の大きさや形状は自由であり、通常の小荷物が収容できる内部空間を有している。又、本体１の側面には企業の広告を表示することで、宅配・集荷ボックスのコストを出来る限り安く提供出来るようにする場合もある。
【００１６】
上記鍵３は蓋２の正面側に取付けられ、背面側は継手構造と成っている為に該鍵３を解錠することで継手を介して蓋２を開くことが出来る。ところで、宅配業者は荷物を配達する場合、留守であってもこの宅配・集荷ボックスに荷物を入れて宅配することが出来るようにしたものであり、この場合、宅配業者は蓋２をロックしている鍵３を解錠しなくてはならない。
【００１７】
この鍵３は４つの回転体４ａ，４ｂ，４ｃ，４ｄを有し、該回転体４ａ，４ｂ，４ｃ，４ｄに刻まれている数値を合わせることで解錠できる構造としている。そして、鍵３が取外されたならば蓋２を開くことが出来、内部に荷物を入れて蓋２を閉め、再び鍵３をかける。ここで、該鍵３が解錠される回転体４ａ，４ｂ，４ｃ，４ｄの番号とは、宅配業者と個人の間で取決めした数値であり、誰でも知り得る番号では不適当である。
【００１８】
例えば、上記鍵３の解錠番号として発送伝票に記載している電話番号を使用することが出来る。例えば、電話番号の下４桁の数値を入力することで鍵３が解錠できるようにすることが可能である。このように電話番号を暗証番号として使用する場合には、蓋２の上面にその旨を記載しておくことで、宅配業者は発送伝票に記載している電話番号を確認して入力出来る。
【００１９】
そして、荷物を届けたことの証しとして受領印が必要である為に、本体１の片隅には受取り印が収容され、宅配業者はこの受取り印を所定の書面に捺印することが出来る。一方、荷物を集荷する場合には、本体１内に荷物を入れておき、宅配業者は蓋２を開いて収容荷物を回収することが出来る。この場合も鍵３を解錠しなくてはならず、４つの回転体４ａ，４ｂ，４ｂ，４ｄの数値を所定の番号に合わせることで解錠される。
【００２０】
そして、この宅配・集荷ボックスは住宅の玄関口、マンションの入口付近、又は事務所の入口付近に配置され、不必要な場合には中に入れておくことが出来る。すなわち、この宅配・集荷ボックスは住宅などの建物からは独立して構成されるボックスであり、しかしボックスごと盗難に遭うことを防止する為に、クサリやワイヤー、又は紐にて建物と連結されている。
【００２１】
しかし、これらクサリ、ワイヤー、紐が切断されたならば、ボックス内に収容している警報機が警報音を発生するように構成することが出来る。従って、必要以上に太くて強固なクサリやワイヤーでなくてもよい。警報機が作動する電気回路は特に限定しないが、例えばクサリ、ワイヤー、又は紐に弱い電流を常時流しておくことで、この電流が遮断されると同時に警報機のスイッチがＯＮされて警報音が発せられるように構成出来る。
【００２２】
そして、上記宅配・集荷ボックスの内部にはクール便も一時的に収容できるように、本体１の内面及び蓋２の内面には断熱材が貼着されており、要冷蔵の荷物であっても宅配することが可能となる。断熱材としては一般には発泡スチロールシートを内面に貼着したり、又は本体１及び蓋２を発泡スチロール製のボックスを内層（断熱層）として構成することも出来る。
【００２３】
ところで、本発明の宅配・集荷ボックスは常時玄関先に配置する必要はなく、宅配業者から荷物を届ける旨の電話連絡を受けた時に外に配置すればよい。この際、鍵３を解錠する番号を知られることが出来る。又は、届出伝票に記入されている電話番号の下４桁の数字をもって鍵３が解錠できるように設定することも可能である。
【００２４】
そこで、この場合には、宅配・集荷ボックスの蓋２に次のような文章を表記しておくと都合がよい。「宅配業者の方へ、  毎日ご苦労さまです。あいにくただ今外出して居ります。私の電話番号下４桁がこのボックスの鍵を解錠で切る暗証番号ですので、この番号に鍵３の数値を合わせて頂きカギを解錠し、蓋２を開けて中に荷物を入れ下さい。そして、再度、蓋２を閉めて鍵３をかけてください。なお、受取り印はボックス内にありますので使ってください。」
【００２５】
図２はクール便で宅配された荷物であっても収容できるようにした実施例である。本体１の内面には断熱層５が設けられ、内部空間６内に要冷蔵の荷物を一時的に収容可能としている。勿論、蓋２の内面にも断熱層５を設けているが、断熱層５としては一般に発泡樹脂が適している。同図の断熱層５は本体１の内部に嵌合した構造としているが、断熱シートを内面に貼着して断熱層５を形成することも出来る。
【００２６】
図３は本発明の宅配・集荷ボックスを入口ドア７の付近に配置している場合を示している。宅配・集荷ボックスの本体１から連結具であるワイヤー８が延びており、このワイヤー８はドア７の持ち手９に外れないように連結されている。蓋２は取付けてある鍵３を解錠しない限り開くことは出来ず、しかもワイヤー８を介してドア７に連結している為に、本体１をそのまま持ち去ることも出来ない。
【００２７】
しかも、ワイヤー８を切断するならば本体１内部に収容されている警報機が作動して警報音が発生することで、該ワイヤー８を切断して持ち去ることも不可能である。勿論、本体１内でなくドア付近に警報機を取付けることも可能であるが、ワイヤー８が切断されて持ち去られる本体１内で警報音が鳴る方が盗難防止効果は大きいと考えられる。
【符号の説明】
【００２８】
１  本体
２  蓋
３  鍵
４  回転体
５  断熱層
６  内部空間
７  ドア
８  ワイヤー
９  持ち手
【図１】
2011041717.tif 000003
【図２】
2011041717.tif 000004
【図３】
2011041717.tif 000005